【手続補正書】
【提出日】平成18年5月23日(2006.5.23)
【手続補正１】
【補正対象書類名】明細書
【補正対象項目名】特許請求の範囲
【補正方法】変更
【補正の内容】
【特許請求の範囲】
【請求項１】  無線通信を行うとともに、複数の異なる種類の機能を有する携帯通信端末装置において、
外部より与えられる振動を感知し、前記各種機能を動作させることを特徴とする携帯通信端末装置。
【請求項２】  無線通信を行うとともに、複数の異なる種類の機能を有する携帯通信端末装置において、
外部より与えられる振動を感知するとともに、振動が与えられるときの所定時間内に連続的に前記携帯通信端末装置に与えられた振動の回数である振動回数を計測し、
計測した振動回数に応じて、前記各種機能を動作させることを特徴とする携帯通信端末装置。
【請求項３】  無線通信を行うとともに、複数の異なる種類の機能を有する携帯通信端末装置において、
外部より与えられる振動を感知するとともに、振動が与えられるときの振動が開始してから１回の振動の周期が所定時間より長くなるまでに連続的に与えられる振動の回数である振動回数を計測し、
計測した振動回数に応じて、前記各種機能を動作させることを特徴とする携帯通信端末装置。
【請求項４】  無線通信を行うとともに、複数の異なる種類の機能を有する携帯通信端末装置において、
外部より当てられる振動を検知して電気信号に変換する振動センサと、
該振動センサより与えられる電気信号より、振動が与えられるときの連続的に振動した回数である振動回数を計測する振動回数計測部と、
該振動回数計測部で計測される前記振動回数に対して、前記各種機能を割り当てて記憶するメモリと、
前記機能を動作させるために、前記携帯通信端末装置の各部を制御する制御部と、を有し、
前記振動回数計測部で前記振動回数が計測されたとき、前記制御部が該振動回数に応じて割り当てられた機能を前記メモリより読み出し、この読み出した機能を動作させることを特徴とする携帯通信端末装置。
【請求項５】  前記振動センサで振動が検知されたとき、前記振動回数計測部が前記振動回数の計測を開始するとともに、
前記振動センサで検知される１回の振動の周期が所定時間より長くなったとき、前記振動回数計測部が前記振動回数の計測を終了し、このとき計測された前記振動回数を前記制御部に送出することを特徴とする請求項４に記載の携帯通信端末装置。
【請求項６】  前記振動センサで振動が検知されたとき、前記振動回数計測部が前記振動回数の計測を開始するとともに、
該計測が開始してから所定時間が経過したとき、前記振動回数計測部が前記振動回数の計測を終了し、このとき計測された前記振動回数を前記制御部に送出することを特徴とする請求項４に記載の携帯通信端末装置。
【請求項７】  前記所定時間が、任意に設定可能であることを特徴とする請求項２、請求項３、請求項５、及び請求項６のいずれかに記載の携帯通信端末装置。
【請求項８】  計測された前記振動回数に応じて動作する各種機能を任意に設定可能であることを特徴とする請求項２〜請求項７のいずれかに記載の携帯通信端末装置。
【請求項９】  前記振動回数に応じて各種機能を動作させることの禁止及び解除が切り換えられることを特徴とする請求項２〜請求項８のいずれかに記載の携帯通信端末装置。
【手続補正２】
【補正対象書類名】明細書
【補正対象項目名】０００８
【補正方法】変更
【補正の内容】
【０００８】
【課題を解決するための手段】
上記目的を達成するために、本発明の携帯通信端末装置は、無線通信を行うとともに、複数の異なる種類の機能を有する携帯通信端末装置において、外部より与えられる振動を感知し、前記各種機能を動作させることを特徴とする。
【手続補正３】
【補正対象書類名】明細書
【補正対象項目名】００１０
【補正方法】変更
【補正の内容】
【００１０】
又、本発明の携帯通信端末装置は、無線通信を行うとともに、複数の異なる種類の機能を有する携帯通信端末装置において、外部より与えられる振動を感知するとともに、振動が与えられるときの振動が開始してから１回の振動の周期が所定時間より長くなるまでに連続的に与えられる振動の回数である振動回数を計測し、計測した振動回数に応じて、前記各種機能を動作させることを特徴とする。即ち、振動が与えられたことを検知すると同時に振動回数の計測を開始し、１回の振動の周期が所定時間より長い振動となるまで計測を継続する。このようにして計測されたときの振動の回数を、振動回数とすることができる。
【手続補正４】
【補正対象書類名】明細書
【補正対象項目名】００１１
【補正方法】変更
【補正の内容】
【００１１】
又、本発明の携帯通信端末装置は、無線通信を行うとともに、複数の異なる種類の機能を有する携帯通信端末装置において、外部より与えられる振動を感知するとともに、振動が与えられるときの所定時間内に連続的に前記携帯通信端末装置に与えられた振動の回数である振動回数を計測し、計測した振動回数に応じて、前記各種機能を動作させることを特徴とする。即ち、振動が与えられたことを検知するとともに振動回数の計測を開始し、所定時間が経過するまで計測を継続する。このようにして計測されたときの振動の回数を、振動回数とすることができる。
【手続補正５】
【補正対象書類名】明細書
【補正対象項目名】００１２
【補正方法】変更
【補正の内容】
【００１２】
又、本発明の携帯通信端末装置は、無線通信を行うとともに、複数の異なる種類の機能を有する携帯通信端末装置において、外部より当てられる振動を検知して電気信号に変換する振動センサと、該振動センサより与えられる電気信号より、振動が与えられるときの連続的に振動した回数である振動回数を計測する振動回数計測部と、該振動回数計測部で計測される前記振動回数に対して、前記各種機能を割り当てて記憶するメモリと、前記機能を動作させるために、前記携帯通信端末装置の各部を制御する制御部と、を有し、前記振動回数計測部で前記振動回数が計測されたとき、前記制御部が該振動回数に応じて割り当てられた機能を前記メモリより読み出し、この読み出した機能を動作させることを特徴とする。
【手続補正６】
【補正対象書類名】明細書
【補正対象項目名】００１４
【補正方法】変更
【補正の内容】
【００１４】
このとき、前記振動センサで振動が検知されたとき、前記振動回数計測部が前記振動回数の計測を開始するとともに、前記振動センサで検知される１回の振動の周期が所定時間より長くなったとき、前記振動回数計測部が前記振動回数の計測を終了し、このとき計測された前記振動回数を前記制御部に送出するようにしても構わない。
【手続補正７】
【補正対象書類名】明細書
【補正対象項目名】００１６
【補正方法】変更
【補正の内容】
【００１６】
又、前記振動センサで振動が検知されたとき、前記振動回数計測部が前記振動回数の計測を開始するとともに、該計測が開始してから所定時間が経過したとき、前記振動回数計測部が前記振動回数の計測を終了し、このとき計測された前記振動回数を前記制御部に送出するようにしても構わない。
【手続補正８】
【補正対象書類名】明細書
【補正対象項目名】００１８
【補正方法】変更
【補正の内容】
【００１８】
このような携帯通信端末装置において、前記所定時間が、任意に設定可能であるものとしても構わない。
【手続補正９】
【補正対象書類名】明細書
【補正対象項目名】００２０
【補正方法】変更
【補正の内容】
【００２０】
又、前記メモリ内に記憶された前記振動回数に割り当てられた複数の種類の異なる機能が、任意に設定可能であるものとしても構わない。
【手続補正１０】
【補正対象書類名】明細書
【補正対象項目名】００２２
【補正方法】変更
【補正の内容】
【００２２】
又、前記携帯通信端末装置に振動が与えられることによって前記振動回数に応じた機能を動作させる手段の使用の禁止又は解除を、切り換えるための切換手段を有するものとしても構わない。